(57)【要約】【課題】主に、漏洩検査時に、集合管継手の上端開口部の内部に設けられた環状パッキンを傷付けないようにする。【解決手段】排水立管４と排水横管５と集合管継手６とを備えた排水設備２に対し、漏洩検査装置として、集合管継手６の周辺を一定区間閉塞可能な区間閉塞部材１１を設けると共に、加圧流体供給源１２を設ける。上記した区間閉塞部材１１が、下部閉塞部材１３と上部閉塞部材１４と側部閉塞部材１５とを備える。  そして、上部閉塞部材１４が、集合管継手６の上端開口部６ｂに対して上方から当接配置可能な当接部２１と、当接部２１を、集合管継手６に対して固定可能な固定部２２とを備える。更に、当接部２１と、集合管継手６の上端開口部６ｂの端面との間に、シール部材２３が介在されるようにする。【選択図】図３
2013117510.tif 000002
【特許請求の範囲】
【請求項１】
建物の各階層を上下に貫く排水立管と、建物の各階層ごとに横方向に延設される排水横管と、前記排水立管と排水横管とを接続可能な集合管継手とを備えた排水設備に対し、
該排水設備の構築途中に、下層の排水立管の上端部に集合管継手の下端開口部が接続固定された状態で、当該集合管継手の周辺を一定区間閉塞可能な区間閉塞部材を設けると共に、該区間閉塞部材によって閉塞された区間の内部に加圧流体を供給可能な加圧流体供給源を設け、
前記区間閉塞部材が、下層の排水立管の内部を閉塞可能な下部閉塞部材と、前記集合管継手の上端開口部を閉塞可能な上部閉塞部材と、前記集合管継手の側部開口部または該側部開口部に接続された排水横管の端部を閉塞可能な側部閉塞部材とを備えた排水設備の漏洩検査装置において、
前記上部閉塞部材が、
前記集合管継手の上端開口部に対して上方から当接配置可能な当接部と、
該当接部を、前記集合管継手に対して固定可能な固定部とを備えると共に、
前記当接部と、前記集合管継手の上端開口部の端面との間に、上端開口部を密閉可能なシール部材が介在されたことを特徴とする排水設備の漏洩検査装置。
【請求項２】
前記固定部が、集合管継手の外周に巻付固定可能な巻付固定部材と、該巻付固定部材に対して前記当接部を連結固定可能な連結部材とを有することを特徴とする請求項１記載の排水設備の漏洩検査装置。
【請求項３】
前記固定部が、集合管継手の外周に上方から嵌着可能なリング状をした金属固定金具と、該金属固定金具の外周面に螺着され、先端部が集合管継手の外周へ向けて突出されることにより、集合管継手の外周に圧接固定可能な、周方向複数の突出固定部材と、前記当接部と金属固定金具の上端面との間を上方から締結固定可能な締結固定部材とを有し、
前記シール部材が、Ｏリングとされたことを特徴とする請求項１記載の排水設備の漏洩検査装置。
【発明の詳細な説明】
【技術分野】
【０００１】
この発明は、建物に設けられる排水設備の漏洩検査装置に関するものである。
【背景技術】
【０００２】
集合住宅やオフィスビルやホテルなどの多層階の建物には、排水設備が設けられている。この排水設備は、建物の各階層を上下に貫く排水立管と、建物の各階層ごとに横方向に延設される排水横管と、これら排水立管と排水横管とを接続する集合管継手とを有するものである。
【０００３】
このような、排水設備では、排水立管や排水横管における排水の漏洩を検査するために満水試験が一般的に実施されている。この満水試験は、例えば、上記した集合管継手を含む排水立管の一部を、満水継手やゴム製のテストボール風船で閉塞すると共に、閉塞された排水立管に連通する排水横管を閉塞プラグで閉塞して、閉塞された排水立管の上部や最上流の排水横管から内部に水を満水状態に注入し、水漏れの有無を確認するものである。
【０００４】
しかし、このような満水試験では、満水試験にしか使用されない満水継手を設置しなければならないという問題や、満水試験は、給水設備や排水設備が未完成の状態の時に行われることが多いので、満水試験に使用する水の確保や、使用した水の処分が困難であるという問題があった。
【０００５】
そこで、上記した満水試験に代えて、加圧空気などの加圧流体を用いて漏洩検査を行う手段が提案されている（例えば、特許文献１、特許文献２参照）。
【先行技術文献】
【特許文献】
【０００６】
【特許文献１】特開平０２−２１２７３３号公報
【特許文献２】特許３４７６１８７号公報
【発明の概要】
【発明が解決しようとする課題】
【０００７】
しかしながら、上記特許文献１に記載された漏洩検査手段は、建物の上部から排水立管内に閉塞部材を吊り降ろすなどして排水立管の一部を各階ごとに閉塞すると共に、閉塞された排水立管に連通する排水横管の端部などを閉塞して、建物の上部に設けた加圧空気供給手段により上記閉塞した区間内に加圧空気を注入するようにしているので、上記操作を行う位置と漏洩検査を行う階とが異なってしまい、作業効率が悪いという問題があった。
【０００８】
これに対し、上記特許文献２に記載された漏洩検査手段では、各階ごとに上記操作を行わせることにより、上記操作を行う位置と漏洩検査を行う階とを同じにして作業効率を向上させるようにしているが、特許文献２の閉塞部材は、集合管継手の上端開口部内部に設けられた環状パッキンを利用して閉塞を行わせるようにしているため、閉塞部材の鋭利な部分などによって環状パッキンを傷付けるおそれがあった。
【０００９】
このように、漏洩検査の際に排水立管の環状パッキンに傷を付けてしまうと、建物完成後における排水設備の運用に支障が生じることになるので、特許文献２の漏洩検査手段は、このままでは採用することができないような不具合を有するものとなっている。
【課題を解決するための手段】
【００１０】
上記課題を解決するために、請求項１に記載された発明は、建物の各階層を上下に貫く排水立管と、建物の各階層ごとに横方向に延設される排水横管と、前記排水立管と排水横管とを接続可能な集合管継手とを備えた排水設備に対し、該排水設備の構築途中に、下層の排水立管の上端部に集合管継手の下端開口部が接続固定された状態で、当該集合管継手の周辺を一定区間閉塞可能な区間閉塞部材を設けると共に、該区間閉塞部材によって閉塞された区間の内部に加圧流体を供給可能な加圧流体供給源を設け、前記区間閉塞部材が、下層の排水立管の内部を閉塞可能な下部閉塞部材と、前記集合管継手の上端開口部を閉塞可能な上部閉塞部材と、前記集合管継手の側部開口部または該側部開口部に接続された排水横管の端部を閉塞可能な側部閉塞部材とを備えた排水設備の漏洩検査装置において、前記上部閉塞部材が、前記集合管継手の上端開口部に対して上方から当接配置可能な当接部と、該当接部を、前記集合管継手に対して固定可能な固定部とを備えると共に、前記当接部と、前記集合管継手の上端開口部の端面との間に、上端開口部を密閉可能なシール部材が介在されたことを特徴とする。
【００１１】
請求項２に記載された発明は、上記において、前記固定部が、集合管継手の外周に巻付固定可能な巻付固定部材と、該巻付固定部材に対して前記当接部を連結固定可能な連結部材とを有することを特徴とする。
請求項３に記載された発明は、上記において、前記固定部が、集合管継手の外周に上方から嵌着可能なリング状をした金属固定金具と、該金属固定金具の外周面に螺着され、先端部が金属固定金具の内周へ向けて突出されることにより、集合管継手の外周に圧接固定可能な、周方向複数の突出固定部材と、前記当接部と金属固定金具の上端面との間を上方から締結固定可能な締結固定部材とを有し、前記シール部材が、Ｏリングとされたことを特徴とする。
【発明の効果】
【００１２】
請求項１の発明によれば、上記構成によって以下のような作用効果を得ることができる。即ち、上部閉塞部材は、当接部を集合管継手の上端開口部に対して上方から当接配置し、この当接部を固定部にて集合管継手に固定することによって取り付けられる。この際、当接部と集合管継手の上端開口部の端面との間に介在されたシール部材が、集合管継手の上端開口部を密閉する。これにより、集合管継手の上端開口部の内部に設けられた環状パッキンを利用して閉塞を行わせることがなくなるため、環状パッキンが上部閉塞部材で傷付けられないようにすることができる。以って、建物完成後に排水設備を支障なく運用することが可能となる。
【００１３】
請求項２の発明によれば、上記構成によって以下のような作用効果を得ることができる。即ち、固定部が、集合管継手の外周に巻付固定可能な巻付固定部材と、巻付固定部材に対して前記当接部を連結固定可能な連結部材とを有することにより、集合管継手の外周に巻付固定部材を巻付固定し、巻付固定部材に連結部材を用いて当接部を連結固定することにより、簡単に集合管継手に当接部を取付固定することができる。そして、漏洩検査の終了後には、簡単にこれらを取り外して撤去することができる。
請求項３の発明によれば、上記構成によって以下のような作用効果を得ることができる。即ち、固定部として、集合管継手の外周に上方から嵌着可能なリング状をした金属固定金具を設けることにより、集合管継手の外周に対し、金属固定金具を簡単に装着することができる。そして、この金属固定金具の外周面に、周方向複数の突出固定部材を螺着しておくことにより、突出固定部材をネジ込んで、その先端部を金属固定金具の内周面側へ突出させ、集合管継手の外周に圧接させることによって、簡単に集合管継手の外周に金属固定金具を固定することができる。更に、当接部と金属固定金具の上端面との間を、締結固定部材で上方から直接締結固定させることにより、面倒な取付作業をなくして、当接部と金属固定金具との固定作業を容易化することができる。加えて、シール部材を、Ｏリングにしたことにより、平パッキンと比べて、集合管継手の上端部に対する接触面積が小さくなるので、その分、小さな圧縮力（或いは、当接部と金属固定金具との間に作用される締結力）によっても高いシール性を確保することができるようになる。以上により、上部閉塞部材１４を、一層取扱い易く、簡単且つ短時間に漏洩検査を行い得るものとすることが可能となる。
【図面の簡単な説明】
【００１４】
【図１】建物の排水設備を示す断面図である。
【図２】図１の集合管継手部分の拡大図である。
【図３】本発明の実施例１にかかる漏洩検査装置を示す、図２の部分拡大図である。
【図４】図３の固定部の斜視図である。
【図５】図３の固定部を別の角度から見た斜視図である。
【図６】図４の側面図である。
【図７】図６の蓋部材の平面図である。
【図８】図６の蓋部材の底面図である。
【図９】図３の固定部の側面図である。
【図１０】固定部の平面図である。
【図１１】本発明の実施例２にかかる上部閉塞部材の部分拡大側面図である。
【図１２】図１１の金属固定金具の平面図である。
【発明を実施するための形態】
【００１５】
以下、本実施の形態を具体化した実施例を、図面を用いて詳細に説明する。
【００１６】
図１〜図１２は、各実施例を示すものであり、そのうち、図１〜図１０が実施例１、図１１、図１２が実施例２である。
【実施例１】
【００１７】
＜構成＞以下、図１〜図１０を用いてこの実施例の構成について説明する。
【００１８】
図１に示すように、集合住宅やオフィスビルやホテルなどのような多層階の建物１には、排水設備２が設けられている。この排水設備２は、建物１の各階層３を上下に貫く排水立管４と、建物１の各階層３ごとに横方向に延設される排水横管５（或いは、横枝管）と、排水立管４と排水横管５とを接続可能な集合管継手６（或いは、特殊排水管継手）とを有するものである。上記した排水立管４の下端部は、図示しない地中埋設管などを介して公共枡などに接続される。排水立管４や排水横管５や集合管継手６は、樹脂製のものとされる。
【００１９】
このような排水設備２には、単管式のものが存在している。単管式の排水設備２は、上記した集合管継手６の内部に図示しない旋回羽根を設けることにより、排水立管４や集合管継手６の内部を流れる排水を減勢させると共に、排水に旋回流を与えて軸心部に空気芯（空気通路）を形成させるようにし、以って、独立した空気通路を設ける必要をなくし得るようにしたものである。
【００２０】
そして、図２に示すように、このような排水設備２に対する漏洩検査装置は、排水設備２の構築途中に、下層の排水立管４の上端部に集合管継手６の下端開口部６ａが接続固定された状態で、当該集合管継手６の周辺を一定区間閉塞可能な区間閉塞部材１１を設けると共に、区間閉塞部材１１によって閉塞された区間の内部に加圧流体を供給可能な加圧流体供給源１２を設けたものとされる。
【００２１】
そして、上記した区間閉塞部材１１が、下層の排水立管４の内部を閉塞可能な下部閉塞部材１３と、集合管継手６の上端開口部６ｂを閉塞可能な上部閉塞部材１４と、集合管継手６の側部開口部６ｃまたは側部開口部６ｃに接続された排水横管５の端部を閉塞可能な側部閉塞部材１５とを備えるようにしている。
【００２２】
（補足説明）
ここで、集合管継手６の下端開口部６ａは、排水立管４の上端部を挿入固定可能な固定受口部などとされている。また、集合管継手６の上端開口部６ｂは、排水立管４の熱伸縮の影響を吸収可能な伸縮用受口部などとされている。そのために、集合管継手６の上端開口部６ｂの内部（内周面）には、排水立管４の下端部を移動可能に収容しつつシールが可能な環状パッキン１６（図３参照）が設けられている。この環状パッキン１６は、例えば、排水立管４の外周よりも径の大きな筒状部１６ａと、この筒状部１６ａの内周面から斜め下方へ向けて突出された傾斜リング状のリップ部１６ｂとを有するものなどとされる。但し、環状パッキン１６の構成は、これに限るものではない。
【００２３】
同様に、側部開口部６ｃも、排水横管５の熱伸縮の影響を吸収可能な伸縮用受口部などとされている。この側部開口部６ｃの伸縮用受口部は、上端開口部６ｂの伸縮用受口部とほぼ同じ構造のものとされる。
【００２４】
また、上記した加圧流体供給源１２は、電動ポンプや電動コンプレッサなどとされている。加圧流体供給源１２は、漏洩検査を行う階層３に設置される。加圧流体供給源１２による加圧流体の圧力は、例えば、０．０３５ＭＰａなどとされる。この場合、加圧流体には、加圧空気が使用される。なお、加圧流体は、加圧空気以外に、加圧窒素などを用いることができる。この場合には、加圧流体供給源１２を窒素ガスボンベなどとする。
【００２５】
上記した下部閉塞部材１３は、ゴム風船状の膨張可能部材１３ａとされる。この膨張可能部材１３ａには、空気などの流体によって膨らませるためのホース１３ｂが取り付けられており、このホース１３ｂの先端部などには、逆止弁として機能するバルブ１３ｃが取り付けられている。なお、漏洩検査時に、上記したホース１３ｂは、集合管継手６の内部に収容した状態にされる。
【００２６】
上記した側部閉塞部材１５には、閉塞プラグやキャップなどが用いられる。
【００２７】
なお、漏洩検査の際には、排水立管４や排水横管５などの接続部分に、石けん液などを塗布しておくようにする。或いは、加圧流体に、煙や臭気などを混入させておくようにする。
【００２８】
そして、以上のような基本構成に対し、この実施例のものでは、以下のような構成を備えるようにしている。
【００２９】
（構成１）
図３〜図１０（主に、図３参照）に示すように、上記した上部閉塞部材１４が、集合管継手６の上端開口部６ｂに対して上方から当接配置可能な当接部２１と、この当接部２１を、集合管継手６に対して固定可能な固定部２２とを備えている。そして、当接部２１と、集合管継手６の上端開口部６ｂの端面との間に、上端開口部６ｂを密閉可能なシール部材２３が介在されるようにする。
【００３０】
（補足説明１）
ここで、上記した当接部２１は、集合管継手６の上端開口部６ｂよりも径の大きい蓋部材などとされる。この当接部２１は、例えば、均一板厚の円板状のものなどとされる。この当接部２１には、表裏面間を連通可能な開口部２１ａが形成されると共に、この開口部２１ａには、上記した加圧流体供給源１２に対しホース１２ａ（図２参照）を介して接続可能な加圧流体供給源接続部２５が取り付けられる。この加圧流体供給源接続部２５は、ソケット部材２５ａ、ニップル部材２５ｂ、チーズ部材２５ｃ、手動バルブ２５ｄ、カプラー２５ｅによって構成されている。ソケット部材２５ａは、開口部２１ａに取り付けるための取付具であり、ニップル部材２５ｂは、ソケット部材２５ａにチーズ部材２５ｃを取り付けるため連結具であり、手動バルブ２５ｄは加圧流体供給源接続部２５との接続をＯＮ・ＯＦＦするための開閉具であり、カプラー２５ｅは、加圧流体供給源接続部２５にホース１２ａ（加圧流体供給路）を接続するための接続具である。そして、チーズ部材２５ｃには、ブッシュ部材２５ｆを介して圧力計２６が取り付けられる。
【００３１】
上記したシール部材２３は、当接部２１の裏面側に配設した平パッキンなどとされる。このシール部材２３は、当接部２１の裏面と、集合管継手６の上端開口部６ｂの上端面との間に介在されるようにするために、少なくとも、上端開口部６ｂの内径よりも大きい外径と、上端開口部６ｂの外径よりも小さい内径とを有するものとされる。この場合には、シール部材２３は、集合管継手６の上端開口部６ｂの内径とほぼ同じかそれよりも若干小さい内径と、上端開口部６ｂの外径とほぼ同じかそれよりも若干径の大きい外径とを有するリング状のものとされている。シール部材２３は、当接部２１と一体のものとしても、別体のものとしても良い。
【００３２】
（構成２）
図９、図１０に示すように、上記した固定部２２が、集合管継手６の外周に巻付固定可能な巻付固定部材２７と、この巻付固定部材２７に対して当接部２１を連結固定可能な連結部材２８とを有するものとされる。
【００３３】
（補足説明２）
ここで、巻付固定部材２７は、半割りリング状をした一対のバンド片２７ａと、一対のバンド片２７ａの両端間に設けられたフランジ部２７ｂの間を締結固定可能な一対の締結具２７ｃとを備えたものとされる。この場合、締結具２７ｃは、両方ともボルト・ナットとされているが、一方をヒンジ部としても良い。また、ボルト・ナットに代えてワンタッチ固定部などを用いても良い。
【００３４】
また、連結部材２８は、巻付固定部材２７から上方へ向けて突設された長ボルト２８ａと、ナット２８ｂとを有するものとされる。長ボルト２８ａは、下端部が巻付固定部材２７に溶接などによって固定される。また、当接部２１には長ボルト２８ａを通すためのボルト挿通孔２１ｂが形成される（図６参照）。
【００３５】
なお、固定部２２の巻付固定部材２７や連結部材２８は、上記以外にも、例えば、ワイヤなどの索状部材を用いることができる。
【００３６】
＜作用＞以下、この実施例の作用について説明する。
【００３７】
単管式などの排水設備２は、建物１の各階層３を上下に貫く排水立管４と、建物１の各階層３ごとに横方向に延設される排水横管５とを、集合管継手６で接続したものとされる。
【００３８】
このような排水設備２の漏洩検査は、排水設備２の構築途中に、下層の排水立管４の上端部に集合管継手６の下端開口部６ａが接続固定された状態で、区間閉塞部材１１を用いて、当該集合管継手６の周辺を一定区間閉塞し、加圧流体供給源１２を用いて、区間閉塞部材１１によって閉塞された区間の内部に加圧流体を供給することによって行われる。
【００３９】
区間閉塞部材１１による上記区間の閉塞は、下部閉塞部材１３を用いて下層の排水立管４の内部を閉塞し、上部閉塞部材１４を用いて集合管継手６の上端開口部６ｂを閉塞し、側部閉塞部材１５を用いて集合管継手６の側部開口部６ｃまたはこの側部開口部６ｃに接続された排水横管５の端部を閉塞することによって行われる。
【００４０】
漏洩検査の際には、排水立管４や排水横管５などの接続部分に、石けん液などを塗布する。或いは、加圧流体に煙や臭気などを混入させる。これにより、漏洩を石けん液による気泡の発生や、煙や臭気などの漏洩によって簡単に知覚することが可能となる。
【００４１】
＜効果＞この実施例によれば、以下のような効果を得ることができる。
【００４２】
（効果１）
上記した上部閉塞部材１４は、当接部２１を集合管継手６の上端開口部６ｂに対して上方から当接配置し、この当接部２１を固定部２２にて集合管継手６に固定することによって取り付けられる。この際、当接部２１と、集合管継手６の上端開口部６ｂの端面との間に介在されたシール部材２３が、集合管継手６の上端開口部６ｂを密閉する。これにより、集合管継手６の上端開口部６ｂの内部に設けられた環状パッキン１６を利用して閉塞を行わせることがなくなるため、環状パッキン１６が上部閉塞部材１４で傷付けられないようにすることができる。以って、建物１の完成後に排水設備２を支障なく運用することが可能となる。
【００４３】
（効果２）
上記した固定部２２が、集合管継手６の外周に巻付固定可能な巻付固定部材２７と、巻付固定部材２７に対して当接部２１を連結固定可能な連結部材２８とを有することにより、集合管継手６の外周に巻付固定部材２７を巻付固定し、巻付固定部材２７に連結部材２８を用いて当接部２１を連結固定することにより、簡単に集合管継手６に当接部２１を取付固定することができる。そして、漏洩検査の終了後には、簡単にこれらを取り外して撤去することができる。
【実施例２】
【００４４】
＜構成＞以下、図１１、図１２を用いてこの実施例の構成について説明する。
但し、図１〜図１０と共通な部分については、同じ符号を付すことにより、説明を省略することができる。但し、説明を省略した部分については、上記実施例１の説明を以ってこの実施例の説明とすることができる。
【００４５】
（構成３）
上記した固定部２２が、集合管継手６の外周に上方から嵌着可能なリング状をした金属固定金具３１を有するものとされる。また、固定部２２が、この金属固定金具３１の外周面に螺着され、先端部が金属固定金具３１の内周へ向けて突出されることにより、集合管継手６の外周に圧接固定可能な、周方向複数の突出固定部材３２と、上記した当接部２１と金属固定金具３１の上端面との間を上方から締結固定可能な締結固定部材３３とを有するものとされる。
更に、上記したシール部材２３が、Ｏリング２３ｂとされる。
【００４６】
（補足説明３）
ここで、上記した「金属固定金具３１」は、集合管継手６の上端開口部６ｂの外周面に形成されたフランジ状の外方張出部６ｄよりも二回り程度径の大きい内周面を有するものとされる。金属固定金具３１の下端部には、外方張出部６ｄと同じかそれよりも一回り程度径の大きい内周面を有する下部フランジ部３１ａが形成される。この下部フランジ部３１ａは、外方張出部６ｄの下面に対し、少なくとも周方向の一部が部分的に上方へ係止可能なものとされる。
また、金属固定金具３１の上端部には、集合管継手６の上端面に対し、下方へ係止可能な上部フランジ部３１ｂが形成される。この上部フランジ部３１ｂは、集合管継手６の上端面の外径と内径との中間の大きさの内周面を有するものとされる。
【００４７】
上記した「突出固定部材３２」は、金属固定金具３１に対し、横方向へ向けて螺着された蝶ボルトなどとされる。この突出固定部材３２は、金属固定金具３１に対し、周方向にほぼ均等な間隔を有して３箇所から６箇所程度設けられる。この場合には、作業性を考慮して３箇所とされている。そして、突出固定部材３２を予め突出固定部材３２に螺着させておくようにするために、突出固定部材３２の側面には、ネジ孔３１ｃが半径方向へ向けて形成される。
【００４８】
上記した「締結固定部材３３」は、六角レンチによって締付けが可能な六角ボルトなどとされる。この締結固定部材３３は、当接部２１と金属固定金具３１とに対し、周方向に等しい間隔を有して３箇所から６箇所程度設けられる。この場合には、作業性を考慮して３箇所とされている。そして、締結固定部材３３を取り付けられるようにするために、金属固定金具３１の上面には、ボルト孔３１ｄが形成されている。このボルト孔３１ｄは、トルク管理を気にしなくても良くするために、締結固定部材３３を最大限にネジ込んだ時に、気密性能が十分に確保できる最小限の深さを有するものとされている。
なお、突出固定部材３２と、締結固定部材３３とは、周方向の位相をズラせて設けられるようにしている。
【００４９】
上記した「Ｏリング２３ｂ」は、例えば、円形断面のものとしても、半円形断面のものとしても良い。この場合には、平坦面部分を上に向けて配置されたほぼ半円形断面のものとされている。
【００５０】
＜作用＞以下、この実施例の作用について説明する。
集合管継手６の上端部を閉塞する場合には、先ず、リング状をした金属固定金具３１を、集合管継手６の外周に対して上方から嵌着する。
【００５１】
次に、金属固定金具３１の外周面に螺着された周方向複数の突出固定部材３２を、内方へネジ込むことによって、突出固定部材３２の先端部を集合管継手６の外周へ向けて突出させ、集合管継手６の外周に圧接固定させる。これにより、金属固定金具３１が集合管継手６の外周に固定される。
【００５２】
その後、集合管継手６の上端部に、Ｏリング２３ｂとされたシール部材２３を介して、当接部２１を当接配置し、当接部２１と金属固定金具３１の上端面との間を締結固定部材３３で上方から直接締結固定する。この際、締結固定部材３３をボルト孔３１ｄへ完全にネジ込むことにより、トルク管理を気にすることなく、気密性能が十分に確保されることとなる。これにより、集合管継手６の上端部が確実に閉塞されるので、そのまま漏洩検査を行うことが可能となる。
【００５３】
＜効果＞この実施例によれば、以下のような効果を得ることができる。
【００５４】
（効果３）
固定部２２として、集合管継手６の外周に上方から嵌着可能なリング状をした金属固定金具３１を設けることにより、集合管継手６の外周に対し、金属固定金具３１を簡単に装着することができる。
【００５５】
そして、この金属固定金具３１の外周面に、周方向複数の突出固定部材３２を螺着しておくことにより、突出固定部材３２をネジ込んで、その先端部を金属固定金具３１の内周面側へ突出させ、集合管継手６の外周に圧接させることによって、簡単に集合管継手６の外周に金属固定金具３１を固定することができる。
【００５６】
更に、当接部２１と金属固定金具３１の上端面との間を、締結固定部材３３で上方から直接締結固定させることにより、巻付固定部材２７から上方へ向けて突設された長ボルト２８ａを、当接部２１のボルト挿通孔２１ｂへ通すような面倒な取付作業をなくして、当接部２１と金属固定金具３１との固定作業を容易化することができる。
【００５７】
加えて、シール部材２３を、Ｏリング２３ｂにしたことにより、シール部材２３に平パッキンを用いる場合と比べて、集合管継手６の上端部に対する接触面積が小さくなるので、その分、小さな圧縮力（或いは、当接部２１と金属固定金具３１との間の締結力）でもより高いシール性を確保することができるようになる。
【００５８】
以上により、上部閉塞部材１４を、一層取扱い易く、簡単且つ短時間に漏洩検査を行い得るものとすることが可能となる。
【００５９】
なお、上記した以外に、上記実施例１と同様の構成を有する部分については、上記実施例１と同様の作用効果を得ることができるのは勿論である。
【００６０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６１】
１    建物
２    排水設備
３    階層
４    排水立管
５    排水横管
６    集合管継手
６ａ  下端開口部
６ｂ  上端開口部
６ｃ  側部開口部
１１  区間閉塞部材
１２  加圧流体供給源
１３  下部閉塞部材
１４  上部閉塞部材
１５  側部閉塞部材
２１  当接部
２２  固定部
２３  シール部材
２３ｂ  Ｏリング
２７  巻付固定部材
２８  連結部材
３１  金属固定金具
３２  突出固定部材
３３  締結固定部材
【図１】
2013117510.tif 000003
【図２】
2013117510.tif 000004
【図３】
2013117510.tif 000005
【図４】
2013117510.tif 000006
【図５】
2013117510.tif 000007
【図６】
2013117510.tif 000008
【図７】
2013117510.tif 000009
【図８】
2013117510.tif 000010
【図９】
2013117510.tif 000011
【図１０】
2013117510.tif 000012
【図１１】
2013117510.tif 000013
【図１２】
2013117510.tif 000014